(57)【要約】【課題】  望ましい締付けトルクが達成されたこと、したがってチャックの締付けをやめてもよいことをユーザに知らせる。【解決手段】  締付けインジケータは、ジョーとボディの間に動作可能に受け取られた第１のリングと、スリーブおよび環状リング７４に一緒に回転するように結合され、これらと動作可能に係合した環状ラチェット８０とを有する。締付けインジケータが第１の状態にあるときには、スリーブ１８を開方向または閉方向へ回転させたときに一緒に回転するように、環状リング７４および環状ラチェット８０が互いに対して結合され、同時にスリーブ１８に対して結合され、締付けインジケータが第２の状態にあるときには、環状ラチェット８０は、環状リング７４に対して閉方向には回転するが、開方向には回転しないように固定される。【選択図】  図１
2005313309.tif 000002
【特許請求の範囲】
【請求項１】
駆動軸を有する手動またはパワードライバとともに使用するチャックであって、
ａ．軸方向の孔がその中に形成されたノーズ部と、前記ドライバの前記駆動軸と一緒に回転するように構成されたテール部とを有する全体に円筒形のボディと、
ｂ．前記ボディに対して移動可能に配置され、前記軸方向孔と連絡した複数のジョーと、
ｃ．前記ボディの周りに回転可能に取り付けられ、前記ジョーと動作可能に連絡し、その結果、閉方向へ回転させると前記ジョーが前記軸方向孔の軸に向かって移動し、開方向へ回転させると前記ジョーが前記軸から遠ざかるナットと、
ｄ．複数のくぼみと、
ｅ．前記複数のくぼみに向かって偏向され、前記複数のくぼみと係合した少なくとも１つの偏向可能なつめと
を備え、
前記複数のくぼみと前記少なくとも１つの偏向可能なつめのうちの一方は前記ナットと一緒に運動し、前記複数のくぼみと前記少なくとも１つの偏向可能なつめのうちのもう一方は、
前記ジョーが工具のシャンクを締め付けている第１の状態に前記チャックがあるときには、前記ボディと一緒に運動し、それによってカチッという可聴音が生じ、
前記チャックが第２の状態にあるときには、前記複数のくぼみと前記少なくとも１つの偏向可能なつめのうちの前記一方と一緒に運動する
ことを特徴とするチャック。
【請求項２】
前記くぼみを画定した第１のリングをさらに備え、前記第１のリングは、限られた距離にわたって前記ナットに対して回転可能であることを特徴とする請求項１に記載のチャック。
【請求項３】
前記少なくとも１つの偏向可能なつめを画定した第２のリングをさらに備え、前記第２のリングは、前記ナットと前記ボディの間に配置されていることを特徴とする請求項２に記載のチャック。
【請求項４】
前記ボディはスラストリングを含むことを特徴とする請求項３に記載のチャック。
【請求項５】
前記ナットと前記スラストリングの間に位置する軸受をさらに備えていることを特徴とする請求項４に記載のチャック。
【請求項６】
前記軸受と前記スラストリングの間に位置する軌道盤をさらに備えていることを特徴とする請求項５に記載のチャック。
【請求項７】
前記第２のリングは前記軌道盤と前記スラストリングの間にあることを特徴とする請求項６に記載のチャック。
【請求項８】
前記チャックが前記第１の状態にあるときに、前記ナットは軸方向後方への力を前記軸受に対して加え、これによって前記軌道盤と前記ボディの間の前記第２のリングを回転しないようにロックすることを特徴とする請求項７に記載のチャック。
【請求項９】
前記複数のくぼみは、前記第１のリングの内周に形成されていることを特徴とする請求項２に記載のチャック。
【請求項１０】
前記チャックが前記第１の状態にあるときには、前記ボディに対して前記ナットを、限られた距離にわたって前記開方向へ回転させることができ、その結果、前記ジョーが工具シャンクの締付けを解き、前記少なくとも１つの偏向可能なつめが前記複数のくぼみと一緒に運動する前記第２の状態に前記チャックを置くことを特徴とする請求項１に記載のチャック。
【請求項１１】
前記チャックが前記第１の状態にあるときに、前記ナットは軸方向後方への力を前記ボディに対して加え、これによって前記複数のくぼみと前記少なくとも１つの偏向可能なつめのうちの前記一方を前記ボディに対して回転しないようにロックすることを特徴とする請求項１に記載のチャック。
【請求項１２】
少なくとも１つのスリーブをさらに備え、前記少なくとも１つのスリーブは前記ナットに対して回転しないように固定されていることを特徴とする請求項１に記載のチャック。
【請求項１３】
ａ．前記第１のスリーブはその内周に少なくとも１つの駆動リブを画定し、
ｂ．前記ナットは、前記駆動リブを受け取って前記ナットを前記第１のスリーブに対して回転しないように固定する少なくとも１つの駆動みぞ穴を画定している
ことを特徴とする請求項１２に記載のチャック。
【請求項１４】
前記ボディに関して前記第１のスリーブの軸方向後方にある第２のスリーブをさらに備えていることを特徴とする請求項１２に記載のチャック。
【請求項１５】
駆動軸を有する手動またはパワードライバとともに使用するチャックであって、
ａ．軸方向の孔がその中に形成されたノーズ部と、前記ドライバの前記駆動軸と一緒に回転するように構成されたテール部とを有する全体に円筒形のボディと、
ｂ．前記ボディに対して移動可能に配置され、前記軸方向孔と連絡した複数のジョーと、
ｃ．前記ボディの周りに回転可能に取り付けられ、前記ジョーと駆動係合し、その結果、閉方向へ回転させると前記ジョーが前記軸方向孔の軸に向かって移動し、開方向へ回転させると前記ジョーが前記軸から遠ざかるナットと、
ｄ．第１のリングと、
ｅ．前記ナットに対して限られた弧を描いて回転する第２のリングと
を備え、
前記第１のリングと前記第２のリングのうちの一方がラチェットを画定し、前記第１のリングと前記第２のリングのうちのもう一方が、前記ラチェットに向かって偏向され前記ラチェットと係合した少なくとも１つの偏向可能なつめを画定し、
前記チャックが第１の状態にあるときには、前記第１のリングと前記第２のリングは、前記開方向にも前記閉方向にも一緒に回転するように互いに結合され、
前記ジョーが工具シャンクを締め付けている第２の状態に前記チャックがあるときには、前記第２のリングは前記第１のリングに対して少なくとも前記閉方向に回転することができ、この回転によってカチッという可聴音が生じる
ことを特徴とするチャック。
【請求項１６】
前記ラチェットはさらに複数の歯を備えていることを特徴とする請求項１５に記載のチャック。
【請求項１７】
前記ボディはスラストリングを含むことを特徴とする請求項１５に記載のチャック。
【請求項１８】
前記ナットと一緒に回転するように前記ナットに結合されたスリーブをさらに備えていることを特徴とする請求項１５に記載のチャック。
【請求項１９】
前記第２のリングに対して前記ナットを、限られた距離にわたって前記開方向へ回転させることができ、その結果、前記ジョーが工具シャンクの締付けを解き、前記チャックを前記第１の状態に置き、それによって、前記第１のリングが前記第２のリングに一緒に回転するように結合されることを特徴とする請求項１５に記載のチャック。
【請求項２０】
ａ．前記スリーブはその内周に少なくとも１つの駆動リブを画定し、
ｂ．前記ナットは、前記駆動リブを受け取って前記ナットを前記スリーブに対して回転しないように固定する少なくとも１つの駆動みぞ穴を画定している
ことを特徴とする請求項１８に記載のチャック。
【請求項２１】
駆動軸を有する手動またはパワードライバとともに使用するチャックであって、
ａ．軸方向の孔がその中に形成されたノーズ部と、前記ドライバの前記駆動軸と一緒に回転するように構成されたテール部とを有する全体に円筒形のボディと、
ｂ．前記ボディに対して移動可能に配置され、前記軸方向孔と連絡し、その１つの面に工具係合面を画定し、反対側の面にねじ山を画定した複数のジョーと、
ｃ．前記ボディに回転するように取り付けられ、その内周にねじ山を画定し、ねじ山によって前記ジョーと係合し、そのため回転させると前記ジョーが前記ボディに対して移動するナットと、
ｄ．前記ボディの周りに回転可能に取り付けられ、前記ナットと駆動係合し、その結果、閉方向へ回転させると前記ジョーが前記軸方向孔の軸に向かって移動し、開方向へ回転させると前記ジョーが前記軸から遠ざかる全体に円筒形のスリーブと、
ｅ．少なくとも１つのつめをその表面に画定した第１のリングと、
ｆ．前記ナットに対して限られた弧を描いて回転することができ、複数の歯をその表面に画定した第２のリングと
を備え、
前記少なくとも１つのつめは前記複数の歯に向かって偏向され、その結果、
前記チャックが第１の状態にあるときには、前記第１のリングと前記第２のリングは、前記開方向にも前記閉方向にも一緒に回転するように互いに結合され、
前記ジョーが工具シャンクを締め付けている第２の状態に前記チャックがあるときには、前記第２のリングは前記第１のリングに対して前記閉方向に回転することができ、この回転によってカチッという可聴音が生じるが、前記開方向には回転しないように前記第１のリングに固定されている
ことを特徴とするチャック。
【請求項２２】
駆動軸を有する手動またはパワードライバとともに使用するチャックであって、
ａ．軸方向の孔がその中に形成されたノーズ部と、前記ドライバの前記駆動軸と一緒に回転するように構成されたテール部とを有する全体に円筒形のボディと、
ｂ．前記ボディに対して移動可能に配置され、前記軸方向孔と連絡した複数のジョーと、
ｃ．前記ボディの周りに回転可能に取り付けられ、前記ジョーと動作可能に連絡し、その結果、閉方向へ回転させると前記ジョーが前記軸方向孔の軸に向かって移動し、開方向へ回転させると前記ジョーが前記軸から遠ざかるナットと、
ｄ．前記ボディの周りに回転可能に取り付けられ、前記ナットと駆動係合した全体に円筒形のスリーブと、
ｅ．前記ナットと前記ボディのうちの一方と一緒に運動する等間隔に配置された複数のくぼみと、  ｆ．前記ナットと前記ボディのうちのもう一方と一緒に運動する少なくとも１つの偏向可能なつめであって、等間隔に配置された前記複数のくぼみのうちの１つのくぼみに向かって偏向され、前記１つのくぼみに受け取られるつめと
を備え、
等間隔に配置された前記複数のくぼみのうちの前記１つのくぼみから、等間隔に配置された前記複数のくぼみのうちの隣接する１つのくぼみへの前記少なくとも１つの偏向可能なつめの移動は、前記複数のジョー間の所定の出力把持力を与える前記ナット上の所定の入力トルクに対応する
ことを特徴とするチャック。
【請求項２３】
前記少なくとも１つの偏向可能なつめが、等間隔に配置された前記複数のくぼみのうちの前記１つのくぼみから、等間隔に配置された前記複数のくぼみのうちの前記隣接する１つのくぼみへ移動すると、前記所定の入力トルクが前記ナット上で達成されたことをユーザに知らせるカチッという可聴音が生じることを特徴とする請求項２２に記載のチャック。
【請求項２４】
前記少なくとも１つの偏向可能なつめが、等間隔に配置された前記複数のくぼみのうちの前記１つのくぼみから、等間隔に配置された前記複数のくぼみのうちの前記隣接する１つのくぼみへ移動すると、前記対応する所定の出力把持力が達成されたことをユーザに知らせるカチッという可聴音が生じることを特徴とする請求項２２に記載のチャック。
【請求項２５】
前記複数のジョーが工具シャンクと係合した後に前記ボディに対して前記ナットを前記閉方向に回転させることによって、前記少なくとも１つの偏向可能なつめは、等間隔に配置された前記複数のくぼみのうちの前記１つのくぼみから、等間隔に配置された前記複数のくぼみのうちの前記隣接する１つのくぼみへ移動することを特徴とする請求項２２に記載のチャック。
【請求項２６】
駆動軸を有する手動またはパワードライバとともに使用するチャックであって、
ａ．軸方向の孔がその中に形成されたノーズ部と、前記ドライバの前記駆動軸と一緒に回転するように構成されたテール部とを有する全体に円筒形のボディと、
ｂ．前記ボディに対して移動可能に配置され、前記軸方向孔と連絡した複数のジョーと、
ｃ．前記ボディの周りに回転可能に取り付けられ、前記ジョーと動作可能に連絡し、その結果、閉方向へ回転させると前記ジョーが前記軸方向孔の軸に向かって移動し、開方向へ回転させると前記ジョーが前記軸から遠ざかるナットと、
ｄ．前記ナットと前記ボディのうちの一方と一緒に運動する等間隔に配置された複数のくぼみと、
ｅ．等間隔に配置された前記複数のくぼみのうちの１つのくぼみに向かって偏向され、前記１つのくぼみと係合した少なくとも１つの偏向可能なつめであって、前記ボディと前記ナットのうちのもう一方と一緒に運動するつめと
を備え、
等間隔に配置された前記複数のくぼみのうちの前記１つのくぼみと等間隔に配置された前記複数のくぼみのうちの隣接する１つのくぼみとの間の環状距離は、前記複数のジョー間の対応する所定の出力把持力を得るために必要な前記ナット上の所定の入力トルクに対応する
ことを特徴とするチャック。
【請求項２７】
前記ジョーを工具のシャンクと係合させ、前記ナットを前記閉方向へ所定の環状距離にわたってさらに回転させると、前記少なくとも１つの偏向可能なつめは、等間隔に配置された前記複数のくぼみのうちの前記１つのくぼみから、等間隔に配置された前記複数のくぼみのうちの前記隣接する１つのくぼみへ移動し、これによって、前記所定の入力トルクが前記ナット上で達成されたことをユーザに知らせるカチッという可聴音が生じることを特徴とする請求項２６に記載のチャック。
【請求項２８】
カチッという前記可聴音はさらに、前記複数のジョーによって前記工具シャンクに前記所定の出力把持力が加えられていることを指示することを特徴とする請求項２７に記載のチャック。
【請求項２９】
前記ナットと駆動係合した第１のスリーブをさらに備えていることを特徴とする請求項２６に記載のチャック。
【請求項３０】
等間隔に配置された前記複数のくぼみは、前記第１のスリーブの内周に形成されていることを特徴とする請求項２９に記載のチャック。
【請求項３１】
等間隔に配置された前記複数のくぼみは前記ボディに形成されていることを特徴とする請求項２６に記載のチャック。
【請求項３２】
等間隔に配置された前記複数のくぼみを画定した第１のリングをさらに備え、前記第１のリングは、限られた距離にわたって前記ナットに対して回転可能であることを特徴とする請求項２６に記載のチャック。
【請求項３３】
前記少なくとも１つの偏向可能なつめを画定した第２のリングをさらに備え、前記第２のリングは、前記ナットと前記ボディの間に配置されていることを特徴とする請求項３２に記載のチャック。
【請求項３４】
前記ボディはスラストリングを含むことを特徴とする請求項３３に記載のチャック。
【請求項３５】
前記ナットと前記スラストリングの間に位置する軸受をさらに備えていることを特徴とする請求項３４に記載のチャック。
【請求項３６】
前記軸受と前記スラストリングの間に位置する軌道盤をさらに備えていることを特徴とする請求項３５に記載のチャック。
【請求項３７】
前記第２のリングは前記軌道盤と前記スラストリングの間にあることを特徴とする請求項３６に記載のチャック。
【請求項３８】
前記ジョーが工具シャンクを締め付けている第１の状態に前記チャックがあるときに、前記ナットは軸方向後方への力を前記軸受に対して加え、これによって前記軌道盤と前記ボディの間の前記第２のリングを回転しないようにロックすることを特徴とする請求項３７に記載のチャック。
【請求項３９】
等間隔に配置された前記複数のくぼみは、前記第１のリングの内周に形成されていることを特徴とする請求項３２に記載のチャック。
【請求項４０】
前記チャックが工具シャンクを締め付けているときに、前記ナットは軸方向後方への力を前記ボディに対して加え、これによって前記複数のくぼみと前記少なくとも１つの偏向可能なつめのうちの前記一方を前記ボディに対して回転しないようにロックすることを特徴とする請求項２６に記載のチャック。
【請求項４１】
ａ．前記第１のスリーブはその内周に少なくとも１つの駆動リブを画定し、
ｂ．前記ナットは、前記駆動リブを受け取って前記ナットを前記第１のスリーブに対して回転しないように固定する少なくとも１つの駆動みぞ穴を画定している
ことを特徴とする請求項２９に記載のチャック。
【請求項４２】
駆動軸を有する手動またはパワードライバとともに使用するチャックであって、
ａ．軸方向の孔がその中に形成されたノーズ部と、前記ドライバの前記駆動軸と一緒に回転するように構成されたテール部とを有する全体に円筒形のボディと、
ｂ．前記ボディに対して移動可能に配置され、前記軸方向孔と連絡した複数のジョーと、
ｃ．前記ボディの周りに回転可能に取り付けられ、前記ジョーと駆動係合し、その結果、閉方向へ回転させると前記ジョーが前記軸方向孔の軸に向かって移動し、開方向へ回転させると前記ジョーが前記軸から遠ざかる全体に円筒形のスリーブと、
ｄ．前記ジョーと前記ボディの間に動作可能に配置された第１のリングと、
ｅ．前記スリーブに対して限られた弧を描いて回転する第２のリングと
を備え、
前記第１のリングと前記第２のリングのうちの一方がラチェットを画定し、前記第１のリングと前記第２のリングのうちのもう一方が、前記ラチェットに向かって偏向された少なくとも１つの偏向可能なつめを画定し、
前記チャックが第１の状態にあるときには、前記第１のリングと前記第２のリングは、前記開方向にも前記閉方向にも一緒に回転するように互いに結合され、
前記チャックが第２の状態にあるときには、前記第２のリングは前記第１のリングに対して少なくとも前記閉方向に回転する
ことを特徴とするチャック。
【発明の詳細な説明】
【技術分野】
【０００１】
本発明は一般に、ドリルあるいは電気式または空気式パワードライバとともに使用するチャックに関する。詳細には本発明は、手によって、または駆動モータを作動させることによって締め付けまたは緩めることができるキーレス型のチャックに関する。
【背景技術】
【０００２】
手動式、電気式および空気式工具ドライバはよく知られている。このようなドライバに取り付ける最も一般的な工具はツイストドリルだが、このような工具には例えば、ねじ回し、ナット回し、バー（ｂｕｒｒ）、軸付研削砥石、および他の切削または研磨工具も含まれる。工具シャンクの直径はさまざまであり、または断面が多角形であることもあるので、ドライバは通常、比較的に広い範囲にわたって調整可能なチャックを備えている。チャックは、ねじが切られた孔またはテーパの付いた孔によってドライバに取り付けることができる。
【０００３】
当技術分野ではさまざまなチャックが開発されている。オブリークジョーチャック（ｏｂｌｉｑｕｅ  ｊａｗｅｄ  ｃｈｕｃｋ）では、チャックボディが、互いに約１２０度離れて配置された３本の通路を含む。これらの通路は、その中心線が、チャック軸に沿ったチャックの前方の１点で交わるように構成されている。通路は、通路の中を移動することができる３本のジョー（ｊａｗ）を拘束して、ほぼチャックの中心軸に沿って変位する円筒形または多角形の工具シャンクを把持する。チャックは、チャックの中心を軸にして回転しジョーに切られたねじ山と係合するナットを含み、そのため、ナットを回転させるとジョーは通路の中をどちらかの方向に移動する。ボディはドライバの駆動軸に取り付けられている。ボディは、ナットに対してボディを一方向に回転させるとジョーが工具シャンクを把持し、反対方向に回転させるとこの把持が解除されるように構成されている。手で回転させる場合にはチャックをキーレスチャックとすることができる。当技術分野ではさまざまな構成のキーレスチャックが知られており、キーレスチャックはさまざまな応用に対して望ましい。
【発明の開示】
【発明が解決しようとする課題】
【０００４】
本発明は、従来技術の構造および方法を認識し、その課題に取り組む。
【課題を解決するための手段】
【０００５】
本発明の一実施形態では、チャックが、軸方向の孔がその中に形成されたノーズ部と、ドライバの駆動軸と一緒に回転するように構成されたテール部とを有する全体に円筒形のボディを有する。複数のジョーが、ボディに対して移動可能に配置されており、軸方向孔と連絡している。ボディの周りにはナットが回転可能に取り付けられ、ジョーと動作可能に連絡しており、その結果、ナットを閉方向へ回転させるとジョーが軸方向孔の軸に向かって移動し、開方向へ回転させるとジョーがこの軸から遠ざかる。ボディの周りには全体に円筒形の第１のスリーブが回転可能に取り付けられており、ナットと駆動係合している。このチャックはさらに、ナットとボディの間に受け取られた第１のリングと、第１のスリーブに対して限られた弧を描いて回転する第２のリングとを有する締付けインジケータを含む。さらに、第１のリングと第２のリングのうちの一方がラチェットを画定し、第１のリングと第２のリングのうちのもう一方が、ラチェットに向かって偏向された少なくとも１つの偏向可能なつめを画定している。さらに、第１のリングは、ジョーが工具シャンクを締め付けるまでは第２のリングに結合され、閉方向へ一緒に回転するが、その後は、第１のリングはチャックボディに対して回転しないように固定され、第２のリングは、第１のリングに対して閉方向に回転することができる。
【０００６】
他の実施形態では、チャックが、軸方向の孔がその中に形成されたノーズ部と、ドライバの駆動軸と一緒に回転するように構成されたテール部とを有する全体に円筒形のボディを有する。複数のジョーが、ボディに対して移動可能に配置されており、軸方向孔と連絡している。ボディの周りにはナットが回転可能に取り付けられ、ジョーと動作可能に連絡しており、その結果、ナットを閉方向へ回転させるとジョーが軸方向孔の軸に向かって移動し、開方向へ回転させるとジョーがこの軸から遠ざかる。ボディの周りには全体に円筒形のスリーブが回転可能に取り付けられており、ナットと駆動係合している。このチャックはさらに、ナットとボディのうちの一方と一緒に運動する等間隔に配置された複数のくぼみと、ナットとボディのうちのもう一方と一緒に運動する少なくとも１つの偏向可能なつめとを有する締付けインジケータを含む。この少なくとも１つの偏向可能なつめは、等間隔に配置された複数のくぼみのうちの１つのくぼみに向かって偏向され、それに受け取られる。等間隔に配置された複数のくぼみのうちの１つのくぼみから、等間隔に配置された複数のくぼみのうちの隣接する１つのくぼみへの少なくとも１つの偏向可能なつめの移動は、複数のジョー間の所定の出力把持力を与えるナット上の所定の入力トルクに対応する。
【０００７】
本明細書に組み込まれ本明細書の一部分を構成する添付図面は、本発明の１つまたは複数の実施形態を示し、本明細書の記述とともに本発明の原理を説明する役割を果たす。
【０００８】
本明細書には、当業者を対象とした、本発明の最良の形態を含む、法的権限を与える本発明の完全な開示が記載される。
【０００９】
本明細書および図面中で繰返し使用される参照符号は、本発明の同じまたは類似の特徴または要素を表す。
【発明を実施するための最良の形態】
【００１０】
次に、現時点における本発明の好ましい実施形態を詳細に参照する。添付図面には、これらの実施形態の１つまたは複数の実施例が示されている。それぞれの実施例は、本発明を説明するために示したものであって、本発明を限定しようとするものではない。実際、本発明の範囲および趣旨から逸脱することなく本発明に修正および変更を加えることができることは当業者には明白である。例えば、ある１つの実施形態の一部として示しまたは記述した特徴を他の実施形態に対して使用して、これらとは別の実施形態を得ることができる。したがって、本発明は、添付の請求項およびその等価物の範囲に含まれる修正および変更をカバーする。
【００１１】
図１および２を参照する。本発明に基づくチャック１０は、ボディ１２、全体を１４で示す把持機構、前スリーブ１８、ノーズピース２０、後スリーブ２４およびナット２８を含む。図示の実施形態では把持機構１４が数本のジョー２６を含む。ボディ１２は全体に円筒形であり、ノーズ部または前部３０およびテール部または後部３２を含む。前部３０に形成された軸方向孔３４は、チャック１０が収容する設計上の最大工具シャンクよりもいくぶん大きな寸法を有する。テール部３２にはねじ付き孔３６（図２）が形成されており、この孔は、パワードライバまたはハンドドライバ、例えばスピンドルを有するパワードリルの駆動軸と対合する標準サイズの孔である。孔３４と３６はボディ１２の中央領域で連絡していてもよい。ねじ付きの孔３６を示したが、この孔は、テーパの付いた駆動軸と対合する標準サイズのテーパ付き孔と互換可能である。さらに、ボディ１２と駆動軸を一体として形成することもできる。
【００１２】
ボディ１２は、ジョー２６を収容する３本の通路３８を画定する。それぞれのジョーは隣接するそれぞれのジョーから約１２０度の弧によって分離されている。通路３８およびジョー２６の軸はチャックの中心軸４０に対して傾いており、そのためそれぞれの通路の軸は軸方向孔３４の中を延び、共通の１点で軸４０と交差する。それぞれのジョー２６は、チャック軸４０に概ね平行な工具係合面４２、およびそれとは反対側の面すなわち外面に形成されたねじ山４４を有する。ねじ山４４は適当な任意のタイプおよびピッチで構築することができる。
【００１３】
ボディ１２はスラストリング（ｔｈｒｕｓｔ  ｒｉｎｇ）部材４６を含み、好ましい一実施形態ではこれをボディ１２と一体とすることができる。代替実施形態ではスラストリング部材４６が、インターロックタブ、プレスばめまたは他の適当な接続手段によってチャックボディに対して軸方向および回転方向に動かないように固定されたボディ１２とは別個の構成部品である。スラストリング部材４６は、その周囲に形成され、それを通してジョー２６を後退させることができる複数のジョー案内路４８を含み、さらに、後に説明する軸受アセンブリを受け取るレッジ（ｌｅｄｇｅ）部分５０を含む。
【００１４】
ボディのテール部３２は、プレスばめによって後スリーブ２４を受け取るローレット目の付いた表面５２を含む。後スリーブ２４は、ローレット目を使用しないプレスばめによって、またはキーを使用することによって、あるいはクリンピング（ｃｒｉｍｐｉｎｇ）、かしめ、リベット締め、ねじ切り、またはスリーブをボディに固定する他の適当な方法によって、保持することもできる。さらに、例えばチャックを取り付けるパワードライバが、スピンドルロックによってスピンドルが回転しないように固定されているときに単一のスリーブによってチャックを作動させることができるスピンドルロック特徴を含む場合には、後スリーブを持たない単一のスリーブを有するチャックを構築することもできる。
【００１５】
好ましい実施形態では分割ナットであるナット２８は、ナットの内周に位置する雌ねじ５４を画定し、スラストリング部材４６のすぐ近くに形成されたチャックボディ１２のみぞ５６の中に受け取られる。スラストリング４６とナット２８の間には、軌道盤６２および環状軸受保持器５８が受け取られる。軸受保持器５８は、チャックボディに対してナットが回転することを可能にする複数のボール６０を保持する。
【００１６】
図１には、外周にセレーションもローレット目もないナット２８が示されている。しかし、軸方向に整列した歯または他の形態のローレット目を外周に有するナット２８を形成できること、および前スリーブ１８の孔６８へのナットのプレスばめを容易にするために、ナットの外縁に小さな面取り部６６を設けることができることを理解されたい。前スリーブは、ポリカーボネート、充てん材入りポリプロピレン、例えばガラス充てん材入りポリプロピレン、構造用プラスチック材料の混合物などの構造用プラスチックから、成形によってまたは他の方法によって製作されることが好ましい。環境によっては、黒鉛充てん材入りポリマーなど、他の複合材料も適当である。本発明のチャックを製造するための材料はチャックの最終用途によって決まること、および上記の材料は例示目的で提示したに過ぎないことを当業者は理解されたい。
【００１７】
オペレータがしっかりとつかむことができるように、前スリーブ１８の外周面はローレット目を有し、あるいは縦方向のリブ（ｒｉｂ）７０または他の突起を有することができる。所望ならば後スリーブ２４の周面も同様に、７２のようなローレット目またはリブを有することができる。回転方向および軸方向に動かないようにスリーブをナットに固定するため、前スリーブ１８はナット２８にプレスばめされる。ノーズピース２０をノーズ部３０にプレスばめすることも、軸方向前方へ移動しないようにスリーブ１８を保持するのに役立つ。錆を防ぎ外観をよくするために、非鉄金属コーティングでノーズピース２０をコーティングすることができる。適当なコーティングの例には亜鉛およびニッケルが含まれるが、適当な任意のコーティングを利用できることを理解されたい。
【００１８】
スリーブ１８はナット２８に対して回転しないように固定されるので、スリーブをボディ１２に対して回転させるとナット２８もボディに対して回転し、ジョーのねじ山４４とナットのねじ山５４はかみ合っているため、これによってジョー２６は通路３８の中を軸方向に移動する。ジョー２６の軸に沿った移動方向は、ボディ１２に対するスリーブ１８およびナット２８の回転方向によって決まる。ドリルビットなどの工具を孔３４に挿入する場合には、スリーブおよびナットをチャック軸４０を中心に閉方向８８（図３Ａ）に回転させ、それによってジョー２６が閉位置に移動するようにする。閉位置では、ジョーの工具係合表面４２が工具と係合して工具を把持する。軸４０を中心にスリーブ１８およびナット２８を反対方向、すなわち開方向９０（図３Ｂ）に回転させると、ジョーは閉位置から軸方向後方に移動して、図２に示した開位置に移動する。
【００１９】
チャック１０は、環状リング７４および環状ラチェット８０を備えた締付けトルクインジケータを含む。環状リング７４は、内側へ延びるフランジ７６を画定し、スプリングタブ８２を介して環状リングに接続されたつめ７８を有する。スプリングタブ８２は、チャック軸４０から半径方向外側へつめを押しやり、つめを環状ラチェット８０と係合させる。環状ラチェット８０は、前方へ延びるタブ８４および主ラチェットバンドの内周に形成された複数の歯８３を画定する。それぞれの歯８３は、約９０度の傾斜を有する第１の側面と、それよりも小さい傾斜を有する第２の側面を有し、そのため、つめ７８は歯の上を滑って一方向には進むことができるが、反対方向には進めない。
【００２０】
環状リング７４は、チャックボディ１２の表面の軌道盤６２とスラストリング４６の間に受け取られる。環状ラチェット８０は、環状リング７４およびナット２８の周囲に受け取られ、その結果、スリーブ１８の内周に形成されたみぞ８６（図３Ａおよび３Ｂ）がそれぞれのタブ８４を受け取る。みぞ８６の幅はタブ８４の幅よりも大きく、そのため、スリーブ１８は、限られた角度範囲にわたって環状ラチェット８０に対して回転することができる。
【００２１】
図３Ａを参照する。開状態のチャックを閉じるためには、スリーブ１８を介してナット２８を閉方向８８に回転させ、それによって通路３８の中をジョー２６がねじ山に沿って軸方向前方へ移動するようにする。タブ８４は、みぞ８６の駆動縁に着座するので、環状ラチェット８０はスリーブ１８とともに回転する。つめ７８が、環状リング７４を環状ラチェット８０に対して、回転しないように固定しているので、環状リング７４もスリーブ１８とともに回転する。しかし、ジョー２６が工具シャンクを締め付けると、対応する後方への軸方向力がジョー２６を通して次第にナット２８に伝わる。後方への軸方向力はナット２８を通してチャックボディ１２に伝えられ、特にスラストリング部材４６に伝わる。軌道盤６２とスラストリングのレッジ５０の間には環状リングのフランジ７６があるので、軸方向力は、ナット２８から環状リングのフランジ７６を通してスラストリング部材４６に伝えられる。これによって、環状リングのフランジ７６、軌道盤６２およびスラストリング部材４６の間の摩擦力が、スリーブ１８およびナット２８が回転している方向とは反対の方向に増大する。したがって、この摩擦力は、チャックボディ１２に対する環状リング７４の回転を制止する。しかし、軸受５８があるため、スリーブ１８およびナット２８は、チャックボディ１２および環状リング７４に対して閉方向に回転し続けることができる。さらに、つめ７８は偏向することができ、一般に歯８３の第２の側面の浅い傾斜と整列して配置されているので、環状ラチェット８０はスリーブ１８とともに環状リング７４に対して回転し続ける。したがって、環状ラチェット８０が回転すると、つめ７８の遠位端が歯８３の上に繰り返し載り、つめの端が次の歯の第２の側面に落下するときに「カチッ」という可聴音を生み出す。つめ７８は一般に歯８３の第１の側面に対しては垂直であり、内側へは偏向せず、環状ラチェット８０は８８とは逆の方向へ回転することができない。すなわち、ジョーが工具シャンクを締め付けるまでは、環状リング７４は環状ラチェット８０と一緒に回転する。ジョーが工具シャンクを締め付けると、環状ラチェット８０は環状リング７４に対して閉方向には回転するが、開方向９０への回転は妨げられる。
【００２２】
図３Ｂを参照する。チャック１０を開くためには、スリーブ１８、したがってナット２８を方向８８とは逆の方向９０に回転させる。つめ７８およびラチェットの歯８３が、開方向への環状ラチェット８０の回転を制止しているので、初めリング８０は動かず、したがってタブ８４がみぞ８６の中で移動する。チャックボディ１２に対するナット２８のこのわずかな回転によってジョー２６が通路３８内をわずかに後退し、これによって軌道盤６２とスラストリング部材４６の間に環状リングのフランジ７６を摩擦によって保持している軸方向後方の力が解除される。その結果、環状リング７４はボディに対して再び回転可能となる。ユーザがスリーブ１８を開方向９０へ回転させ続けると、タブ８４がみぞ８６の側面に当接し、そのため、スリーブ１８が環状ラチェット８０および環状リング７４を再び駆動する。
【００２３】
その後、スリーブ１８を閉方向に回転させた場合、スリーブ１８とラチェットリング８０の間の摩擦係合によっては、タブ８４は、みぞの反対側の側面に当接するまでみぞ８６の中を回転することができ、次いで、先に述べたようにチャックを閉方向に操作することができる。しかし、ここに示した実施形態では、スリーブを閉方向８８（図３Ａ）に回転させると、スリーブ１８とリング８０の間の摩擦によって、ジョーが工具シャンクを締め付けるまでスリーブとリングが図３Ｂに示された位置に一体に保持される。ジョーが工具シャンクを締め付けることによってリング７４の回転が停止すると、依然として回転しているスリーブ１８のみぞ８６がタブ８４の上を通過するまで、つめ７８がラチェットリング８０をそのままの位置に保持する。みぞ８６の次の縁がタブ８４と係合すると、スリーブは再びリング８０を駆動し、チャックは先に論じたとおりに動作する。
【００２４】
図４に示した実施形態ではチャックボディ１２が、ワンピースナット２８を受け取るように変更されている。チャックボディ１２の前部３０は細くなっており、ワンピースナットが、ボディの前部の表面を滑ってジョー２６およびスラストリング４６と動作可能に係合することができるようになっている。すなわち、図４および５のチャックの組立では、チャックボディ１２のスラストリング４６に隣接した部分に、環状リング７４、軌道盤６２および軸受保持器５８をすべり込ませる。次に、それぞれの通路３８の中にジョー２６を配置し、ナットのねじ山がジョーのねじ山とかみ合うようにワンピースナット２８を軸受６０と当接させる。
【００２５】
軸方向前方へナットが動かないようにするため、ボディの前部３０にナット保持具１００が受け取られ、ナット２８と当接する。ナット保持具１００は、ボディにプレスばめされる全体に円筒形の第１の部分１０４、およびナットと係合し、ナットの前方にジョーが通るすき間を提供する円錐台形の第２の部分１０２を含む。環状リング７４の周囲に環状ラチェット８０が受け取られ、その結果、つめ７８が歯８３と係合する。次いで、ボディ前部３０に前スリーブ１８を動きばめする。前スリーブ１８の内周に形成された駆動リブ１９（破線で示されている）がナット２８の駆動みぞ穴２９と係合し、環状ラチェットのタブ８４がみぞ８６に受け取られる。その結果、前スリーブ１８、ナット２８および歯付きリング８０は先に説明したとおりに動作する。
【００２６】
ノーズピース２０は、ボディ前部３０の先端にプレスばめされて前スリーブ１８をチャック１０上に維持するように寸法が決められ、かつそのように適合されている。ノーズピース２０はスナップばめ（ｓｎａｐ  ｆｉｔ）、ねじ切りなどによって固定することもできることを理解されたい。チャックを組み立てるとノーズピース２０は露出する。錆を防ぎ外観をよくするためにノーズピース２０は、非鉄金属コーティングでコーティングすることが好ましい。好ましい一実施形態ではこのようなコーティングが亜鉛またはニッケルである。しかし適当な任意のコーティングを利用できることを理解されたい。
【００２７】
ノーズピース２０は、チャックボディ１０上の所定の位置に前スリーブ１８を、ナット２８と駆動係合した状態で保持する役目を果たす。さらに、ノーズピース２０は、美しくかつ錆も抑制するという２つの目的を持ったカバーをノーズ部に提供する役割を果たす。これは、非鉄材料でチャックボディ１２全体をコーティングする必要なしに、美しい外観を与えるという利点を提供する。
【００２８】
図４および５のチャックの動作は、図１から３の実施形態のそれと実質的に同じである。したがって、チャックおよび締付けインジケータの動作についての議論は繰り返さない。
【００２９】
図６および７に、スリーブ１８ａおよび代替の締付けトルクインジケータを有するチャック１０の一実施形態を示す。以前の実施形態から変更されたチャック１０の部分には「ａ」で終わる符号が割り当てられている。単一のスリーブを有するチャックは一般にスピンドルロックを有するドライバとともに使用され、そのため、スリーブを開または閉方向に回転させている間、スピンドルをドライバに対して回転しないように固定することができる。スピンドルロックは当技術分野でよく理解されている。スピンドルロックは本発明の部分を構成するものではなく、したがって本明細書ではこれ以上論じない。ただし、図６〜９に示す実施形態のチャックは一般に、スピンドルロックを有するパワードライバとともに使用されることを理解されたい。
【００３０】
チャック１０は、ボディ１２、全体を１４で示す把持機構、スリーブ１８ａ、ノーズピース２０、後ディスク２５およびナット２８を有する。把持機構１４は複数のジョー２６を含む。ボディ１２は全体に円筒形であり、ノーズ部または前部３０およびテール部または後部３２を含む。前部３０に形成された軸方向孔３４は、チャック１０が収容する設計上の最大工具シャンクよりもいくぶん大きな寸法を有する。テール部３２にはねじ付き孔３６（図７）が形成されており、この孔は、パワードライバまたはハンドドライバ、例えばスピンドルを有するパワードリルの駆動軸と対合する標準サイズの孔である。孔３４と３６はボディ１２の中央領域で連絡していてもよい。ねじ付きの孔３６を示したが、この孔は、テーパの付いた駆動軸と対合する標準サイズのテーパ付き孔と互換可能である。さらに、ボディ１２と駆動軸を一体として形成することもできる。
【００３１】
ボディ１２は、ジョー２６を収容する３本の通路３８を画定する。それぞれのジョーは隣接するそれぞれのジョーから約１２０度の弧によって分離されている。通路３８およびジョー２６の軸はチャックの中心軸４０に対して傾いており、そのためそれぞれの通路の軸は軸方向孔３４の中を延び、共通の１点で軸４０と交差する。それぞれのジョー２６は、チャック軸４０に概ね平行な工具係合面４２、およびそれとは反対側の面すなわち外面に形成されたねじ山４４を有する。ねじ山４４は適当な任意のタイプおよびピッチで構築することができる。
【００３２】
ボディ１２はスラストリング部材４６を含み、好ましい一実施形態ではこれをボディ１２と一体とすることができる。代替実施形態ではスラストリング部材４６が、インターロックタブ、プレスばめまたは他の適当な接続手段によってチャックボディに対して軸方向および回転方向に動かないように固定されたボディ１２とは別個の構成部品である。スラストリング部材４６は、その周囲に形成され、それを通してジョー２６を後退させることができる複数のジョー案内路４８を含み、さらに、後に説明する軸受アセンブリを受け取るレッジ部分５０を含む。
【００３３】
ボディのテール部３２は、プレスばめによって後ディスク２５を受け取るローレット目の付いた表面５２を含む。後ディスク２５は、ローレット目を使用しないプレスばめによって、またはキーを使用することによって、あるいはクリンピング、かしめ、リベット締め、ねじ切りまたはディスクをボディに固定する他の適当な方法によって保持することもできる。
【００３４】
好ましい実施形態では分割ナットであるナット２８は、ナットの内周に位置する雌ねじ５４を画定し、スラストリング部材４６のすぐ近くに形成されたチャックボディ１２のみぞ５６の中に受け取られる。スラストリング４６とナット２８の間には、軌道盤６２および環状軸受保持器５８が受け取られる。軸受保持器５８は、チャックボディに対してナットが回転することを可能にする複数のボール６０を保持する。
【００３５】
図６には、外周にセレーションもローレット目もないナット２８が示されている。しかし、軸方向に整列した歯または他の形態のローレット目を外周に有するナット２８を形成できること、およびスリーブ１８ａの孔６８へのナットのプレスばめを容易にするために、ナットの外縁に小さな面取り部６６を設けることができることを理解されたい。スリーブは、ポリカーボネート、充てん材入りポリプロピレン、例えばガラス充てん材入りポリプロピレン、構造用プラスチック材料の混合物などの構造用プラスチックから、成形によってまたは他の方法によって製作されることが好ましい。環境によっては、黒鉛充てん材入りポリマーなど、他の複合材料も適当である。本発明のチャックを製造するための材料はチャックの最終用途によって決まること、および上記の材料は例示目的で提示したに過ぎないことを当業者は理解されたい。
【００３６】
オペレータがしっかりとつかむことができるように、スリーブ１８ａの外周面はローレット目を有し、あるいは縦方向のくぼみ７２または他の突起を有することができる。回転方向および軸方向に動かないようにスリーブをナットに固定するため、スリーブ１８ａはナット２８にプレスばめされる。ノーズピース２０をノーズ部３０にプレスばめすることも、軸方向前方へ移動しないようにスリーブ１８ａを保持するのに役立つ。錆を防ぎ外観をよくするために、非鉄金属コーティングでノーズピース２０をコーティングすることができる。適当なコーティングの例には亜鉛およびニッケルが含まれるが、適当な任意のコーティングを利用できることを理解されたい。
【００３７】
スリーブ１８ａはナット２８に対して回転しないように固定されるので、スリーブをボディ１２に対して回転させるとナット２８もそのボディに対して回転し、ジョーのねじ山４４とナットのねじ山５４はかみ合っているため、これによってジョー２６は通路３８の中を軸方向に移動する。ジョー２６の軸に沿った移動方向は、ボディ１２に対するスリーブ１８ａおよびナット２８の回転方向によって決まる。ドリルビットなどの工具を孔３４に挿入する場合には、スリーブおよびナットをチャック軸４０を中心に閉方向８８（図６）に回転させ、それによってジョー２６が閉位置に移動するようにする。閉位置では、ジョーの工具係合面４２が工具と係合して工具を把持する。軸４０を中心にスリーブ１８ａおよびナット２８を反対方向、すなわち開方向に回転させると、ジョーは閉位置から軸方向後方に移動して、図７に示した開位置に移動する。
【００３８】
チャック１０は、環状リング７４ａおよび環状ラチェット８０ａを備えた締付けトルクインジケータを含む。環状リング７４ａは、内側へ延びるフランジ７６を画定し、スプリングタブ８２を介してリングに接続された４つのつめ７８を有する。スプリングタブ８２は、チャック軸４０から半径方向外側へつめを押しやり、つめを環状ラチェット８０ａと係合させる。環状ラチェット８０ａは、前方へ延びるタブ８４および主ラチェットバンドの内周に形成された複数のくぼんだみぞ８３ａを画定する。この実施形態のチャックはつめが少なくとも１つあれば機能することができるが、最適な「カチッ」という可聴音は、好ましくはみぞ８３ａの数に応じた３つまたは４つのつめで達成されることを理解されたい。すなわち、みぞの数は、それぞれのつめが同時に対応するみぞと係合するようにつめの数の整数倍に等しいことが好ましい。
【００３９】
後に詳細に説明するが、チャックジョーが工具を締め付けたときも、これまでに説明した実施形態と同様に、リング７４ａはラチェット８０ａに対して回転することができる。やはりこれまでの実施形態と同様に、リングとラチェットの間のこのような相対回転によって、つめ７８が１組のみぞ８３ａから次の１組のみぞに移動すると「カチッ」という可聴音が生じる。しかしこの実施形態では、みぞ８３ａどうしの間隔が広くなっており、そのため、最初の可聴指示音は、チャックに工具が固定され、予想される通常動作においてもジョーの中で工具がすべらない十分な把持トルクがジョーによって工具に加えられたときに生じる。したがって、ジョーと工具が係合した後の最初のカチッという音は、望ましい締付けトルクが達成されたこと、したがってチャックの締付けをやめてもよいことをユーザに知らせる。もちろん、望ましい把持トルクのレベルは状況によって変化する。しかし、望ましい把持トルクが定義されれば、望ましい把持トルクを達成するためにスリーブを回転しなければならない程度、したがって、望ましい把持トルクで最初の可聴音を鳴らすのに必要な隣接するみぞ８３ａとみぞ８３ａの間の角度間隔は、チャックの設計および構造によって決まってくる。
【００４０】
一般に、所与のチャック設計および構造に関して、ジョーが工具を把持した後にスリーブおよびナットに加えられた入力トルクと、ジョーが工具に加える把持トルクの間には直線関係が存在する。したがって、所与の入力トルクによって得られる把持力は予測できると予想される。下表に、測定入力トルクおよびその結果得られた測定出力トルクを示す試験結果を示す。
【００４１】
【表１】
2005313309.tif 000003
【００４２】
上表に示すとおり、チャックの出力把持力は一般に、ジョーが工具シャンクと接触した後にスリーブを閉方向に回転したときにスリーブを通してナットに加えられるトルクに比例する。所与のチャックの入力トルクと把持力の間の比例関係は、ジョーおよびナットのねじ山のピッチ、チャックの可動部品間の潤滑、可動部品の表面仕上げ、使用する軸受系、互いに対して動く接触表面間の接触面積、ボディの中心軸に対するジョー通路の角度などを含む設計および構造上の因子に依存する。ただしこれらに限定されるわけではない。したがって、上記の１つまたは複数のチャック特性を変化させると、入力トルクと出力把持力の比を増大または低減させることができる。
【００４３】
したがって、所与のチャック配置における入力トルクと出力把持力の間の関係が既知である場合には、所望の把持力に対応する入力トルクを達成するのに必要なスリーブおよびナットの回転を測定することによって、みぞ８３ａとみぞ８３ａの間の望ましい角度間隔を決定することができる。例えば、工具シャンクを軸方向孔３４に入れ、スリーブ１８ａを、ジョーがシャンクと係合し、ナットが、チャックボディ１２に対する回転を止めるまで回転させる。次いでスリーブ１８ａにトルクレンチを取り付け、トルクレンチの入力が標的入力トルクにほぼ等しい読みを示すまで、トルクレンチによってスリーブを閉方向に回転させる。トルクレンチの始点と終点の間の角度は、所望の出力把持力を得るための必要な入力トルクを生み出すためにスリーブおよびナットを回転させなければならない回転角に等しい。図６〜７に示したチャック実施形態では、この回転角が約３０度である（図７）。最後のステップは、測定された角度で３６０度を割って商を求めるステップである。この例では、３６０度を３０度で割って答えは１２となる。したがって、等間隔に配置された１２個のくぼんだみぞ８３ａをその内周に沿って有するように環状ラチェット８０ａを形成する。
【００４４】
もちろん、測定された角度で３６０度を割っても整数にならない可能性があり、実際にはそうなりがちである。その場合には、みぞの数を最大で、内輪で最も近い整数とすることが好ましい。例えば、トルクレンチによって測定された所望の把持を達成するための角度が２５度であったとする。３６０度を２５度で割ると１４．４が立つ。したがって、スリーブに１４本までのみぞを形成することが好ましい。みぞを１４本にすると、所望の入力トルクおよび把持力に対応する間隔に最も近い間隔が得られる。均一に分布した１５本以上のみぞを形成すると、所望の入力および把持トルクが達成される前にカチッという最初の音が鳴ってしまう。均一に分布した１３本以下のみぞを形成すると、望ましい最小把持トルクを達成するのに必要なトルクよりも大きなトルクをユーザがかけることになる。ただしこのような配置が望ましいこともある。例えば、みぞ８３ａの数は、全てのつめがそれぞれのみぞと同時に係合するようにつめ７８の数の整数倍であるべきである。上の例で、つめの数が４であることが望ましいと仮定する。１４を４で割っても商は整数にはならず、そのため、みぞの数は、内輪で１４に最も近い４の倍数である１２に下方修正することが好ましい。図８Ａを参照すると、チャック１０は等間隔の２０本のみぞを有する。したがってこのチャックは１８度以上の回転角を必要とせず、その結果、ラチェット８０ａ上に等間隔のくぼんだ２０本のみぞが形成されたことになる。図８Ｂに示したチャックは等間隔の１６本のみぞを有する。したがってこのチャックは２２．５度以上の回転角を必要とせず、その結果、ラチェット８０ａ上に等間隔のくぼんだ１６本のみぞが形成された。
【００４５】
環状リング７４ａは、チャックボディ１２の表面の軌道盤６２とスラストリング４６の間に受け取られる。環状ラチェット８０ａは、環状リング７４ａおよびナット２８の周囲に受け取られ、その結果、スリーブ１８ａの内周に形成されたみぞ（図示せず）がそれぞれのタブ８４を受け取る。みぞの幅はタブ８４の幅よりも大きく、そのため、スリーブ１８ａは、限られた角度範囲にわたって環状ラチェット８０ａに対して回転することができる。
【００４６】
図７および図９Ａ〜９Ｃを参照する。開状態のチャックを閉じるためには、スリーブ１８ａを介してナット２８を閉方向８８へ回転させ、それによってジョー通路の中をジョー２６がねじ山に沿って軸方向前方へ移動するようにする。タブ８４は、スリーブみぞの駆動縁に着座するので、環状ラチェット８０ａはスリーブ１８ａとともに回転する。つめ７８が環状リング７４ａを回転しないように環状ラチェット８０ａに対して固定しているので、環状リング７４ａもスリーブ１８ａとともに回転する。しかし、ジョー２６が工具シャンクを締め付けると、対応する後方への軸方向力がジョー２６を通して次第にナット２８に伝わる。後方への軸方向力はナット２８を通してチャックボディ１２に伝えられ、特にスラストリング部材４６に伝わる。軌道盤６２とスラストリングのレッジ５０の間には環状リングのフランジ７６があるので、軸方向力は、ナット２８から環状リングのフランジ７６を通してスラストリング部材４６に伝えられる。これによって、環状リングのフランジ７６、軌道盤６２およびスラストリング部材４６の間の摩擦力が、スリーブ１８ａおよびナット２８が回転している方向とは反対の方向に増大する。したがって、この摩擦力は、ボディ部材１２に対する環状リング７４ａの回転を制止する（図９Ａ）。
【００４７】
図９Ｂを参照する。しかし軸受５８があるため、スリーブ１８ａおよびナット２８は、チャックボディ１２および環状リング７４ａに対して閉方向に回転し続けることができる。さらに、つめ７８は偏向することができ、一般にくぼんだみぞ８３ａの浅く傾斜した壁と整列して配置されているので、環状ラチェット８０ａはスリーブ１８ａとともに環状リング７４ａに対して回転し続ける。したがって、環状ラチェット８０が回転すると、つめ７８の遠位端が隣接するへこんだみぞとみぞの間の環状ラチェット８０ａの平坦な内面の上に載る。図９Ｃを参照する。所望の入力トルクがスリーブ／ナットに加えられると、それぞれのつめ７８は、最初のへこんだみぞに隣接した対応する次のへこんだみぞ８３ａに同時に入り、これによって、適当な出力把持力が達成されたことを指示するカチッという可聴音を生み出す。すなわち、図示の実施形態においてカチッという可聴音を生み出すためには、１つのへこんだみぞから隣接する次のみぞへつめを移動させるために、スリーブ／ナット／環状ラチェットを、ジョーが工具シャンクと係合したポイントから３０度回転させなければならない。
【００４８】
特に図９Ａ〜９Ｃを参照する。チャック１０を開くためには、スリーブ１８ａ、したがってナット２８を方向８８とは逆の方向に回転させる。つめ７８およびくぼんだみぞ８３ａが、開方向への環状ラチェット８０ａの回転を制止するので、初めリング８０ａは動かず、したがってタブ８４がスリーブのみぞの中で移動する。チャックボディ１２に対するナット２８のこのわずかな回転によってジョー２６が通路３８内をわずかに後退し、これによって軌道盤６２とスラストリング部材４６の間に環状リングのフランジ７６を摩擦によって保持している軸方向後方の力が解除される。その結果、環状リング７４ａはボディに対して再び回転可能となる。ユーザがスリーブ１８ａを開方向へ回転させ続けると、タブ８４がスリーブみぞの側面と当接し、そのため、スリーブが環状ラチェット８０ａおよび環状リング７４ａを再び駆動する。
【００４９】
その後、スリーブ１８を閉方向に回転させた場合には、スリーブ１８とリング８０の間の摩擦によって、ジョーが工具シャンクを締め付けるまでスリーブとリングが、開状態のときの位置に一体に保持される。ジョーが工具シャンクを締め付けることによってリング７４の回転が停止すると、依然として回転しているスリーブ１８のみぞ８６がタブ８４の上を通過するまで、つめ７８がラチェットリング８０をそのままの位置に保持する。みぞ８６の次の縁がタブ８４と係合すると、スリーブは再びリング８０を駆動し、チャックは先に論じたとおりに動作する。
【００５０】
本発明の範囲および趣旨から逸脱することなく本発明にさまざまな修正および変更を加えることができることを当業者は理解されたい。例えば、図６〜８に示した締付けトルクインジケータを、図１〜５に示した複スリーブ式チャックで使用することもできる。したがって、本発明は、添付の請求項およびその等価物の範囲および趣旨に含まれる修正および変更をカバーする。
【図面の簡単な説明】
【００５１】
【図１】本発明の一実施形態に基づくチャックの分解図である。
【図２】図１に示したチャックの縦断面図である。
【図３Ａ】締付け位置にあるスリーブおよびナットを示す、図１に示したチャックの部分分解透視図である。
【図３Ｂ】解放位置にあるスリーブおよびナットを示す、図１に示したチャックの部分分解透視図である。
【図４】本発明の一実施形態に基づくチャックの分解図である。
【図５】図４に示したチャックの縦断面図である。
【図６】本発明の一実施形態に基づくチャックの分解図である。
【図７】図６に示したチャックの縦断面図である。
【図８Ａ】本発明の一実施形態に基づくチャックの下面図である。
【図８Ｂ】本発明の一実施形態に基づくチャックの下面図である。
【図９Ａ】図６に示したチャックの下面図である。
【図９Ｂ】図６に示したチャックの下面図である。
【図９Ｃ】図６に示したチャックの下面図である。
【符号の説明】
【００５２】
１０        チャック
１４        把持機構
１８        スリーブ
２６        ジョー
２８        ナット
４６        スラストリング部材
７４        環状リング
８０        環状ラチェット
【図１】
2005313309.tif 000004
【図２】
2005313309.tif 000005
【図３Ａ】
2005313309.tif 000006
【図３Ｂ】
2005313309.tif 000007
【図４】
2005313309.tif 000008
【図５】
2005313309.tif 000009
【図６】
2005313309.tif 000010
【図７】
2005313309.tif 000011
【図８Ａ】
2005313309.tif 000012
【図８Ｂ】
2005313309.tif 000013
【図９Ａ】
2005313309.tif 000014
【図９Ｂ】
2005313309.tif 000015
【図９Ｃ】
2005313309.tif 000016